(57)【特許請求の範囲】
【請求項１】
短距離無線通信機能を有する外部機器およびネットワーク上に存在するサーバの双方と通信可能に接続され、当該外部機器および当該サーバのそれぞれと所定の手順にしたがってデータをやりとりするための移動通信装置であって、
前記外部機器からデータを受信する短距離無線受信手段と、
前記サーバからデータを受信するネットワーク受信手段と、
前記外部機器へデータを送信する短距離無線送信手段と、
前記サーバへデータを送信するネットワーク送信手段と、
一連のデータのやりとりを行う前に、前記サーバに記憶されているデータと前記外部機器に記憶されているデータを関連付けた情報を含む指示データを外部より受信する指示データ受信手段と、
前記指示データ受信手段によって受信された指示データを解析する解析手段と、
前記指示データの解析結果に基づく所定の手順で前記外部機器および前記サーバとのデータのやりとりを行うように、前記短距離無線受信手段、前記ネットワーク受信手段、前記短距離無線送信手段および前記ネットワーク送信手段を適宜に選択してデータの送受信経路を切り替える切り替え手段とを備えるとともに、
前記指示データは、
前記短距離無線受信手段に、前記外部機器に固有の識別情報を当該外部機器から受信させるための記述と、
前記ネットワーク送信手段に、前記短距離無線受信手段が受信した前記識別情報を前記サーバへ送信させるための記述と、
前記ネットワーク受信手段に、前記サーバに記憶されている複数の配信情報の中から、前記ネットワーク送信手段が送信した前記識別情報に対応する配信情報を前記サーバから受信させるための記述と、
前記短距離無線受信手段に、前記ネットワーク受信手段が受信した配信情報を前記外部機器へ送信させるための記述とを含むことを特徴とする、移動通信装置。
【請求項２】
前記指示データがＸＭＬ（Ｅｘｔｅｎｓｉｂｌｅ  Ｍａｒｋｕｐ  Ｌａｎｇｕａｇｅ）によって記述されることを特徴とする、請求項１記載の移動通信装置。
【請求項３】
前記指示データは、前記サーバおよび前記外部機器の一方から他方へ所定のデータを転送する指示を含む、請求項１記載の移動通信装置。
【請求項４】
前記指示データは、前記サーバとデータをやりとりする際のアクセス先を指定するアドレス情報を含む、請求項１記載の移動通信装置。
【請求項５】
短距離無線通信機能を有する外部機器およびネットワーク上に存在するサーバの双方と通信可能に接続された移動通信装置を用いて、前記外部機器および前記サーバのそれぞれと所定の手順にしたがってデータをやりとりするためのデータ通信方法であって、
一連のデータのやりとりを行う前に、前記サーバに記憶されているデータと前記外部機器に記憶されているデータを関連付けた情報を記述した指示データを外部より受信する指示データ受信ステップと、
受信された指示データを解析する解析ステップと、
前記指示データの解析結果に基づいて、前記外部機器および前記サーバのそれぞれと、前記指示データにより指示された手順にしたがってデータをやりとりするデータ通信ステップとを備えるとともに、
前記データ通信ステップは、
前記外部機器に固有の識別情報を当該外部機器から受信する第１ステップと、
前記第１ステップで受信した識別情報を前記サーバに送信する第２ステップと、
前記第２ステップで送信した識別情報に対応した配信情報を前記サーバから受信する第３ステップと、
前記第３ステップで受信した配信情報を前記外部機器に送信する第４ステップとを含む、データ通信方法。
【請求項６】
前記指示データがＸＭＬ（Ｅｘｔｅｎｓｉｂｌｅ  Ｍａｒｋｕｐ  Ｌａｎｇｕａｇｅ）によって記述されることを特徴とする、請求項５記載のデータ通信方法。
【請求項７】
前記指示データは、前記サーバおよび前記外部機器の一方から他方へ所定のデータを転送する指示を含む、請求項５記載のデータ通信方法。
【請求項８】
前記指示データは、前記サーバとデータをやりとりする際のアクセス先を指定するアドレス情報を含む、請求項５記載のデータ通信方法。
【発明の詳細な説明】
【０００１】
【発明の属する技術分野】
本発明は、移動通信装置に関し、より特定的には、短距離無線通信機能を有する外部機器およびネットワーク上に存在するサーバの双方と通信可能に接続され、外部機器およびサーバのそれぞれと所定の手順にしたがってデータをやりとりするための移動通信装置に関する。
【０００２】
【従来の技術】
近年、インターネット接続が可能な携帯端末が急速に普及している。この携帯端末によってユーザはいつでもどこでもインターネットにアクセスすることができる。インターネット上にはさまざまなコンテンツやサービスが存在し、ユーザは携帯端末を通じてこれらコンテンツやサービスを利用することができる。
【０００３】
インターネット通信機能の他に、近くの外部機器とデータをやりとりするための赤外線通信機能が付加された携帯端末もある。ユーザは、この赤外線通信機能を利用して、電話帳情報やアドレス帳情報やスケジュール情報などを携帯端末からパソコンに転送したり、逆にそれらの情報をパソコンから携帯端末に転送したりすることができる。
【０００４】
このような携帯端末を用いたサービスの一例として、店頭での割引サービスが考えられる。これは例えば、携帯端末を通じてサービス業者に対して個人情報を登録したユーザに対して割引クーポンが与えられるというものである。ユーザは商品購入の際にその割引クーポンを用いることができる。サービス業者は、アンケートの回答結果と割引クーポンの利用情報とを統合し、これをマーケット調査に役立てることができる。以下、この従来の割引サービスシステムについて説明する。
【０００５】
図７に、割引サービスシステムの全体構成を示す。割引サービスシステムは、ユーザが携帯する携帯端末７０１とサービス業者が管理するサーバ７０２とレジ端末７０３とで構成される。携帯端末７０１とサーバ７０２とは無線インターネットアクセスによって通信可能に接続される。また携帯端末７０１とレジ端末７０３とは赤外線通信によって通信可能に接続される。レジ端末７０３とサーバ７０２とはサービス業者の社内ネットワークにより接続されている。
【０００６】
図８に、割引サービスシステムの動作シーケンスを示す。ユーザは、携帯端末７０１を用いて、無線基地局７０４およびインターネットを経由してサーバ７０２に個人情報を登録する。個人情報の登録が完了すると、サーバ７０２は携帯端末７０１に割引クーポンを送信する。ユーザは、商品購入の際、赤外線通信によって携帯端末７０１からレジ端末７０３へ割引クーポンを送信し、この割引クーポンに応じた割引を受ける。この後、レジ端末７０３からサーバ７０２に利用情報が送信され、サーバ７０２からレジ端末７０３に個人情報が送信される。こうして個人情報と利用情報とが統合される。
【０００７】
図９に、携帯端末７０１の構成を示す。その動作を簡単に説明する。インターネット受信部９０１は、無線インターネットアクセスにより、インターネット上の所定のＵＲＬ（この場合サーバ７０２）からデータを受信する。短距離無線受信部９０２は、赤外線通信により、近接した外部機器（この場合レジ端末７０３）から所定のデータを受信する。データ処理部９０９は、予め定められた手順（例えば図８に示す動作シーケンス）にしたがって通信を制御する。受信切り替え部９０３は、データ処理部９０９の制御を受けて、インターネット受信部９０１および短距離無線受信部９０２のいずれか一方から受信データを受け取る。受信データは、データ蓄積部９０４に蓄積される。その後、受信データは、サーバ７０２や外部機器７０３に送信すべき適切なデータに適宜変換されて、送信データとして送信切り替え部９０５に供給される。送信切り替え部９０５は、データ処理部９０９の制御を受けて、インターネット送信部９０６および短距離無線送信部９０７のいずれか一方へ送信データを供給する。インターネット送信部９０６は、無線インターネットアクセスにより、送信切り替え部９０５から供給された送信データをインターネット上の所定のＵＲＬへ送信する。短距離無線送信部９０７は、赤外線通信により、送信切り替え部９０５から供給された送信データを近接した外部機器７０３へ送信する。
【０００８】
以上のような動作により、携帯端末７０１は、インターネット上のサーバ７０２および近接の外部機器７０３の双方に対して、予め定められた手順に従ってデータ通信を行うことができる。その結果、サーバ７０２と外部機器７０３との間で所定のデータをやりとりすることにより実現される種々のサービスを実現することができる。なお特開２０００−１４８６３７号公報には、上記のような近接した外部機器にアクセスする移動通信装置について開示されている。
【０００９】
【発明が解決しようとする課題】
しかしながら上記のような携帯端末７０１は、データ処理部９０９の処理内容が固定的であるため、サーバ７０２や外部機器７０３との間で所定のデータを予め定められた固定的な手順でやりとりする処理しかできない。したがって図８に示すようなサービスにおいて、サーバ７０２とのシーケンス・レジ端末７０３とのシーケンス・割引クーポンのデータ書式・レジ端末７０３へのデータ送信順序などといった通信手順を変更しようとした場合、データ処理部９０９自体を変更しなければならないという問題がある。つまりサービスの変化に柔軟に対応することができないという問題がある。
【００１０】
例えば図１０は、図８に示す割引サービスのシーケンスの変更例を示している。この変更例によると、まず携帯端末７０１は、まずレジ端末７０３から店舗情報を得て、この店舗情報をサーバ７０２へ転送する処理を行う必要がある。しかしながらデータ処理部９０９がこの新しいシーケンスに対応していないため、携帯端末７０１はこの割引サービスを利用することができない。
【００１１】
それゆえに本発明の目的は、インターネット通信および短距離無線通信の双方利用した種々のサービスに柔軟に対応することのできる移動通信装置を提供することである。
【００１２】
【課題を解決するための手段および発明の効果】
第１の発明は、短距離無線通信機能を有する外部機器およびネットワーク上に存在するサーバの双方と通信可能に接続され、外部機器およびサーバのそれぞれと所定の手順にしたがってデータをやりとりするための移動通信装置であって、外部機器からデータを受信する短距離無線受信手段と、サーバからデータを受信するネットワーク受信手段と、外部機器へデータを送信する短距離無線送信手段と、サーバへデータを送信するネットワーク送信手段と、一連のデータのやりとりを行う前に、前記サーバに記憶されているデータと前記外部機器に記憶されているデータを関連付けた情報を含む指示データを外部より受信する指示データ受信手段と、指示データ受信手段によって受信された指示データを解析する解析手段と、指示データの解析結果に基づく所定の手順で外部機器およびサーバとのデータのやりとりを行うように、短距離無線受信手段、ネットワーク受信手段、短距離無線送信手段およびネットワーク送信手段を適宜に選択してデータの送受信経路を切り替える切り替え手段とを備えるとともに、前記指示データは、前記短距離無線受信手段に、前記外部機器に固有の識別情報を当該外部機器から受信させるための記述と、前記ネットワーク送信手段に、前記短距離無線受信手段が受信した前記識別情報を前記サーバへ送信させるための記述と、前記ネットワーク受信手段に、前記サーバに記憶されている複数の配信情報の中から、前記ネットワーク送信手段が送信した前記識別情報に対応する配信情報を前記サーバから受信させるための記述と、前記短距離無線受信手段に、前記ネットワーク受信手段が受信した配信情報を前記外部機器へ送信させるための記述とを含むことを特徴とする。
【００１３】
上記のように、第１の発明によれば、短距離無線通信機能を有する外部機器およびネットワーク上のサーバの双方に対して、外部より供給される指示データに基づく手順でデータのやりとりを行う。したがってサービスの手順が変更された場合などであっても移動通信装置自体の構成を変更することなく新たなサービスに柔軟に対応することができる。なお手順とは、データを送受信する順番や、データの送受信先や、データの属性といった、データ通信に係る種々の取り決めを意味するものとする。
【００１４】
第２の発明は、第１の発明において、指示データがＸＭＬ（Ｅｘｔｅｎｓｉｂｌｅ  Ｍａｒｋｕｐ  Ｌａｎｇｕａｇｅ）によって記述されることを特徴とする。
【００１５】
上記のように、第２の発明によれば、指示データとして既存のＸＭＬによって記述されたデータを用いれば、指示データを解釈するための機能を移動通信装置に容易に組み込むことができる。
【００１６】
第３の発明は、第１の発明において、指示データは、サーバおよび外部機器の一方から他方へ所定のデータを転送する指示を含む。
【００１７】
上記のように、第３の発明によれば、移動通信装置が、サーバと外部機器との間でデータを中継することができる。よってサーバと外部機器間が通信回線で接続されていない場合であっても、両者間のデータ転送を利用したサービスが利用可能となり、例えば直接には互いに接続されていないサーバと外部機器との間で割引クーポンなどのデータを中継することができる。
【００１８】
第４の発明は、第１の発明において、指示データは、サーバとデータをやりとりする際のアクセス先を指定するアドレス情報を含む。
【００１９】
上記のように、第４の発明によれば、例えばサービスの変更に伴い、サーバとデータをやりとりする際のアクセス先が変更された場合であっても、移動通信装置の構成を変更することなく新たなサービスに柔軟に対応することができる。
【００２２】
第５の発明は、短距離無線通信機能を有する外部機器およびネットワーク上に存在するサーバの双方と通信可能に接続された移動通信装置を用いて、外部機器およびサーバのそれぞれと所定の手順にしたがってデータをやりとりするためのデータ通信方法であって、一連のデータのやりとりを行う前に、前記サーバに記憶されているデータと前記外部機器に記憶されているデータを関連付けた情報を記述した指示データを外部より受信する指示データ受信ステップと、受信された指示データを解析する解析ステップと、指示データの解析結果に基づいて、外部機器およびサーバのそれぞれと、指示データにより指示された手順にしたがってデータをやりとりするデータ通信ステップとを備えるとともに、前記データ通信ステップは、前記外部機器に固有の識別情報を当該外部機器から受信する第１ステップと、前記第１ステップで受信した識別情報を前記サーバに送信する第２ステップと、前記第２ステップで送信した識別情報に対応した配信情報を前記サーバから受信する第３ステップと、前記第３ステップで受信した配信情報を前記外部機器に送信する第４ステップとを含む。
【００２３】
上記のように、第５の発明によれば、短距離無線通信機能を有する外部機器およびネットワーク上のサーバの双方に対して、外部より供給される指示データに基づく手順でデータのやりとりを行う。したがってサービスの手順が変更された場合などであっても移動通信装置自体の構成を変更することなく新たなサービスに柔軟に対応することができる。
【００２４】
第６の発明は、第５の発明において、指示データがＸＭＬ（Ｅｘｔｅｎｓｉｂｌｅ  Ｍａｒｋｕｐ  Ｌａｎｇｕａｇｅ）によって記述されることを特徴とする。
【００２５】
第７の発明は、第５の発明において、指示データは、サーバおよび外部機器の一方から他方へ所定のデータを転送する指示を含む。
【００２６】
第８の発明は、第５の発明において、指示データは、サーバとデータをやりとりする際のアクセス先を指定するアドレス情報を含む。
【００２８】
【発明の実施の形態】
以下、本発明の種々の実施形態について図面を参照して説明する。
（第１の実施形態）
図１に、本発明の第１の実施形態に係る移動通信装置を用いたシステムの全体構成を示す。移動通信装置（携帯端末１０１）は、無線インターネット通信機能と赤外線通信機能とを有する。携帯端末１０１は、無線基地局１０４およびインターネットを介してサーバ１０２と通信可能に接続される。また携帯端末１０１は、近接するレジ端末１０３と赤外線通信により通信可能に接続される。なお図１ではシステムの一例としてサーバ１０２およびレジ端末１０３を一つのサービス業者が管理している場合について示しているが、本発明はこれに限らない。
【００２９】
なお、ここでは携帯端末１０１がインターネットを介してサーバ１０２に接続されるとしたが、これに限らず、他のネットワーク（例えばイントラネットなど）を介してサーバ１０２に接続されても良い。また携帯端末１０１とレジ端末１０３とは赤外線通信により通信可能に接続されるとしたが、これに限らず、他の短距離無線通信（例えば  ブルートゥースなど）により通信可能に接続されても良い。
【００３０】
図２を参照して移動通信装置１０１について説明する。図２において、移動通信装置１０１は、インターネット受信部２０１と、短距離無線受信部２０２と、受信切り替え部２０３と、データ蓄積部２０４と、送信切り替え部２０５と、インターネット送信部２０６と、短距離無線送信部２０７と、指示データ受信部２０８と、指示データ解析部２０９とを備える。以下、移動通信装置１０１の動作を説明する。
【００３１】
インターネット受信部２０１は、インターネットからデータを受信し、受信切り替え部２０３へデータを渡す。短距離無線受信部２０２は、赤外線通信機能を備えた外部機器１０３からデータを受信し、受信切り替え部２０３へデータを渡す。受信切り替え部２０３は、指示データ解析部２０９の制御に従ってインターネット受信部２０１もしくは短距離無線受信部２０２からデータを受け取り、データ蓄積部２０４にデータを出力する。データ蓄積部２０４は、受信切り替え部２０３からのデータを蓄積し、指示データ解析部２０９の制御によりデータを出力する。送信切り替え部２０５は、指示データ解析部２０９の制御に従い、インターネット送信部２０６もしくは短距離無線送信部２０７にデータを出力する。インターネット送信部２０６は、送信切り替え部２０５からのデータをインターネットへ出力する。短距離無線送信部２０７は、送信切り替え部２０５からのデータを短距離無線通信により外部に送信する。指示データ受信部２０８は、指示データを受信し、指示データ解析部２０９へ出力する。指示データ解析部２０９は、指示データ受信部２０８によって受信された指示データを解析し、解析結果に基づいて受信切り替え部２０３および送信切り替え部２０５を制御する。
【００３２】
上記のように移動通信装置１０１は、インターネット上のサーバ１０２とデータのやりとりを行い、また赤外線通信によりレジ端末１０３ともデータのやりとりを行う。この携帯端末１０１の送受信手順は指示データに基づいて制御される。指示データは、インターネット上のサーバ１０２に保存されており、インターネット経由で携帯端末１０１に供給される。ただし指示データは、通信等によって外部から供給されるのであれば良く、必ずしもインターネット経由で供給される必要はない。
【００３３】
図３に指示データの具体例を示す。この例では指示データはＸＭＬ言語によって記述されている。図３において指示データ３０１は、ＸＭＬで記述されていることを宣言してデータの解釈方法を指定するＸＭＬ宣言部３０２と、実際の送受信シーケンスに関するデータが書かれているデータ記述部３０３とで構成される。なお指示データ７０１は、ＸＭＬ言語に限らず、他の方法で記述されたものでも良い。
【００３４】
データ記述部３０３について詳しく説明する。セッションＩＤ記述部３０４ではセッションＩＤが指定されている。赤外線データ送信記述部３０５では、赤外線通信によりデータを送信することが＜ｗｒｉｔｅＤａｔａ＞タグにより記述されており、その際の送信データについても記述されている。インターネット送信記述部３０６では、赤外線通信によってデータを受信し、この受信データを＜ｗｒｉｔｅＤａｔａＴｏＵＲＬ＞タグで囲まれたサーバに送信することが記述されている。インターネット受信記述部３０７では、インターネットデータを＜ｒｅａｄＤａｔａＦｒｏｍＵＲＬ＞タグで囲まれたサーバから受信し、赤外線で接続された外部機器に送信することが記述されている。赤外線データ受信記述部３０８は、＜ｒｅａｄＤａｔａ＞タグで赤外線通信によりデータを受信することが記述されおり、その内容についても記述されている。なおこれらタグは上から順に処理される。これらタグの種類や順番や組み合わせや内容を適宜に変更することにより、実現したいサービス内容に応じた手順を指示データとして記述することができる。
【００３５】
次に、図３に示す指示データ３０１に基づく携帯端末１０１の動作を具体的に説明する。図４は、その際の携帯端末１０１、サーバ１０２およびレジ端末１０３の動作シーケンスを示している。携帯端末１０１は、図４に示す手順の実行を開始する前に、インターネット経由でサーバ１０２から指示データ３０１を受信する。そしてこの指示データ３０１に基づいて図４に示すようなデータのやりとりを行う。携帯端末１０１は、赤外線データ送信記述部３０５に基づいて「Ｇｉｖｅ  ｍｅ  Ｓｈｏｐ  Ｎｏ．」という店舗ナンバー要求コマンドを赤外線通信によりレジ端末１０３に送信する。このとき送信切り替え部２０５は、指示データ解析部２０９による制御にしたがって店舗ナンバー要求コマンドを短距離無線送信部２０７に渡す。次に携帯端末１０１は、インターネット送信記述部３０６に基づいて、赤外線通信によりレジ端末１０３から店舗ナンバーを受け取り、この店舗ナンバーを、インターネット記述部３０６で指定されているＵＲＬ（サーバ１０２）へインターネット経由で送信する。このとき受信切り替え部２０３は、指示データ解析部２０９による制御にしたがって店舗ナンバーを短距離無線受信部２０２から受け取り、一方、送信切り替え部２０５は、この店舗ナンバーをインターネット送信部２０６に渡す。次に携帯端末１０１は、インターネット受信記述部３０７に基づいて、指定されたＵＲＬからインターネット経由で割引クーポンを受け取り、この割引クーポンを赤外線通信によりレジ端末１０３に送信する。このとき受信切り替え部２０３は、指示データ解析部２０９による制御にしたがって割り引きクーポンをインターネット受信部２０１から受け取り、一方、送信切り替え部２０５は、この割引クーポンを短距離無線送信部２０７へ渡す。次に携帯端末１０１は、赤外線データ受信記述部３０８に基づいて「Ｅｎｄ」という完了通知を赤外線通信によりレジ端末１０３から受信する。このとき受信切り替え部２０３は、指示データ解析部２０９による制御にしたがって終了通知を短距離無線受信部２０２から受け取る。なおインターネット経由のデータの送受信にはＨＴＴＰによる通信が用いられる。
【００３６】
なお図４に示す例において、サーバ１０２は、携帯端末１０１を介してレジ端末１０３から受け取った店舗ナンバーに基づいて割引額を指定することができる。これにより、店舗によって割引額が異なるような割引サービスを提供することができる。さらに変形例として、サーバ１０２は、携帯端末１０１に店舗ナンバーに応じてさらに個別の指示データを発行することもできる。これにより、店舗毎に個別のサービスを提供することができる。例えば、ある店舗では単に無条件に割引クーポンを発行するが、別の店舗ではユーザがアンケートに答えた場合のみ割引クーポンを発行するといったことも可能である。“近距離無線通信による接続先の外部機器を特定するための情報”でありさえすれば、“店舗ナンバー”以外の他の情報を用いても上記と同じことがいえる。その結果、ユーザがいる場所に応じたサービスを提供することも容易に可能となる。
【００３７】
図５に、携帯端末１０１の全体的な動作を示す。携帯端末１０１は、サービスを受けようとするとき、まず指示データをサーバ１０２より受信する（ステップＳ５０１）。次に携帯端末１０１は、受信した指示データを解析する（ステップＳ５０２）。そして解析結果に基づく手順でデータ通信処理（例えば図４に示すような一連の処理）を行う（ステップＳ５０３）。
【００３８】
以上のように、第１の実施形態によれば、短距離無線通信機能を有する外部機器およびネットワーク上のサーバの双方に対して、外部より供給される指示データに基づく手順でデータのやりとりを行う。したがってサービスの手順が変更された場合などであっても移動通信装置自体の構成を変更することなく新たなサービスに柔軟に対応することができる。
【００３９】
（第２の実施形態）
図６に、本発明の第２の実施形態に係る移動通信装置の構成を示す。なお図６において図２に示す構成と同一の構成には同一の参照符号を付し、その説明を省略する。図６に示す構成が図２に示す構成と異なる点は、セッションＩＤ付加部６１０をさらに備える点である。全体構成は図１に示す全体構成と同様である。以下、第２の実施形態の特にセッションＩＤ付加部６１０に関係する動作について説明する。
【００４０】
指示データ受信部２０８は、インターネット経由でサーバ１０２から指示データを受信する。指示データ解析部２０９は、指示データ３０１のセッションＩＤ記述部３０４に基づいてセッションＩＤを読み取り、これをセッションＩＤ付加部６１０に通知する。セッションＩＤ付加部６１０は、送信切り替え部２０５を通じて送信される送信データに、指示データ解析部２０９から通知されたセッションＩＤを付加する。
【００４１】
以上のように、第２の実施形態によれば、第１の実施形態と同様の効果が得られる。さらに、セッションＩＤを送信データに付加することで、複数の指示データを単一のセッションとして指示することができる。これにより、例えばあるセッションの途中で状況に応じて以降の手順が２通りに変化するような場合であっても、変化後の２パターンにそれぞれ対応する２つの指示データを用意しておくことにより、各指示データのサイズを低減することができる。その結果、移動通信装置の記憶容量を有効に利用することができる。また指示データに記述すべき内容が簡素化されるので、指示データを容易に記述することができる。
【図面の簡単な説明】
【図１】図１は、本発明の第１の実施形態に係る移動通信装置を用いたシステムの全体構成を示すブロック図である。
【図２】図２は、本発明の第１の実施形態に係る移動通信装置の構成を示すブロック図である。
【図３】図３は、指示データの具体例を示す図である。
【図４】図４は、全体システムの動作を示すシーケンス図である。
【図５】図５は、移動通信装置の動作を示すフローチャートである。
【図６】図６は、本発明の第２の実施形態に係る移動通信装置の構成を示すブロック図である。
【図７】図７は、従来の割引サービスシステムの全体構成を示すブロック図である。
【図８】図８は、従来の割引サービスシステムの動作を示すシーケンス図である。
【図９】図９は、従来の移動通信装置の構成を示すブロック図である。
【図１０】図１０は、従来の他の割引サービスシステムの動作を示すシーケンス図である。
【符号の説明】
１０１…携帯端末
１０２…サーバ
１０３…レジ端末
１０４…無線基地局
２０１…インターネット受信部
２０２…短距離無線受信部
２０３…受信切り替え部
２０４…データ蓄積部
２０５…送信切り替え部
２０６…インターネット送信部
２０７…短距離無線送信部
２０８…送信データ受信部
２０９…指示データ解析部
３０１…指示データ
３０２…ＸＭＬ宣言部
３０３…データ記述部
３０４…セッションＩＤ記述部
３０５…赤外線データ送信記述部
３０６…インターネット送信記述部
３０７…インターネット受信機述部
３０８…赤外線データ受信記述部
６１０…セッションＩＤ付加部
【図１】
0003601712.tif 000002
【図２】
0003601712.tif 000003
【図３】
0003601712.tif 000004
【図４】
0003601712.tif 000005
【図５】
0003601712.tif 000006
【図６】
0003601712.tif 000007
【図７】
0003601712.tif 000008
【図８】
0003601712.tif 000009
【図９】
0003601712.tif 000010
【図１０】
0003601712.tif 000011